(57)【特許請求の範囲】
【請求項１】
電気機器（Ａ）を高電圧装置（Ｈ）に差し込む方向に長手方向軸が延在するシリンダ形に形成された機器ハウジング（１）と、
高電圧装置（Ｈ）の装置ハウジング（３０）に機器ハウジング（１）を固定するための固定手段と、
それぞれ同軸に配設され、かつ電気回路を構成する、高電圧装置（Ｈ）への組込み時に高電圧装置（Ｈ）の相手プラグコンタクト（３２）と電気的なプラグ接続部を構成するプラグコンタクト（８）と、電気接続部（１１）を介してこのプラグコンタクト（８）と接続された非線形の抵抗要素（１０）と、この非線形の抵抗要素（１０）と接続されたアース接続部（９）とから成る、機器ハウジング（１）内に同軸に収容される作動部分（６）と、
電気接続部（１１）と非線形の抵抗要素（１０）を同軸に取り囲み、高電圧装置（Ｈ）への組込み時に高電圧装置（Ｈ）の相手絶縁コーン（３３）に差し込まれる絶縁コーン（１４）をプラグコンタクト側に備える絶縁体（１３）と、
を有する差込み可能な電気機器（Ａ）において、
機器ハウジング（１）の上端部に固定手段がフランジ（５）として形成され、下端部に底面（３）が取り付けられており、この底面（３）が、中心に開口部を備え、底面（３）の内側に支承スリーブ（１９）が同軸に形成されていること、
アース接続部（９）に、絶縁体（１３）の下端部を閉鎖するアース可能なコンタクトディスク（１７）が固定され、このコンタクトディスクからアース接続部（１９）が突出し、支承スリーブ（１９）内に軸方向に移動可能に支承され、これにより、作動部分（６）が、絶縁体（１３）と共に機器ハウジング（１）内で軸方向に移動可能であり、アース接続部（１９）が、底面（３）の開口部を経て機器ハウジング（１）外に案内されていること、
コンタクトディスク（１７）と機器ハウジング（１）の底面（３）との間に、圧縮バネ（１８）が配設され、この圧縮バネが、支承スリーブ（１９）の外周面上に案内されていること、
機器ハウジング（１）外に案内されたアース接続部（９）の端部に、ネジ（２０）が形成されており、このネジに、ロックスリーブ（２３）を挿入した後、調整ナット（２１）がねじ込まれ、これにより、圧縮バネ（１８）が予緊張され、機器ハウジング（１）と作動部分（６）がネジ止めされ、作動部分（６）が、機器ハウジング（１）に対して予緊張力をもって保持されていること、
圧縮バネ（１８）が、調整ナット（２１）を緩めた後に、所定の力で隙間なく絶縁コーン（１４）が高電圧装置（Ｈ）の相手絶縁コーン（３３）に当接するようなバネ力を備えること
を特徴とする電気機器。
【請求項２】
絶縁体（１３）の表面が、絶縁コーン（１４）のコーン面を除いて、コンタクトディスク（１７）を介してアース電位と接続するための導電性の層（１６）で被覆されていることを特徴とする請求項１に記載の電気機器。
【請求項３】
絶縁コーン（１４）のプラグコンタクト（８）とは反対側の端部が、内方へと案内された丸み付けされたアンダカット部（１５）として形成されていることを特徴とする請求項２に記載の電気機器。
【請求項４】
非線形の抵抗要素（１０）が、プラグコンタクト側を丸み付けされて形成されていることを特徴とする請求項１〜３のいずれか１つに記載の電気機器。
【請求項５】
絶縁体（１３）が、少なくともプラグコンタクト側を丸み付けされて形成されていることを特徴とする請求項４に記載の電気機器。
【請求項６】
機器ハウジング（１）の外周面に、非線形の抵抗要素（１０）のプラグコンタクト側の端部を包囲する絶縁体（１３）の領域に取り付けられたマーキング部（３６）に相対して位置決めされた開口部（３７）が形成されていることを特徴とする請求項１〜５のいずれか１つに記載の電気機器。
【請求項７】
少なくとも２つの開口部（３７）とこれに対応するマーキング部（３６）が、機器ハウジング（１）の外周面及び絶縁体（１３）の周囲にわたって分配されて配設されていることを特徴とする請求項６に記載の電気機器。
【請求項８】
高電圧装置（Ｈ）の装置ハウジング（３０）に設けられた、電気機器（Ａ）を固定するための固定手段と、相手プラグコンタクト（３２）と、相手絶縁コーン（３３）とを有する、請求項１〜７のいずれか１つに記載の電気機器（Ａ）を有する高電圧装置（Ｈ）において、
装置ハウジング（３０）の固定手段が相手フランジとして形成されていること、電気機器（Ａ）を高電圧装置（Ｈ）に差し込んだ後、装置ハウジング（３０）の固定手段と電気機器（１）の固定手段とがネジによって堅く結合され、絶縁コーン（１４）と相手絶縁コーン（３３）とが隙間なく互いに圧着されていることを特徴とする高電圧装置。
【請求項９】
電気機器（Ａ）の固定手段であるフランジ（５）と装置ハウジング（３０）の固定手段である相手フランジとの間に、アダプタフランジ（３４）が配設されていることを特徴とする請求項８に記載の高電圧装置。
【請求項１０】
機器ハウジング（１）及び装置ハウジング（３０）が、導電性の材料から成ること、そして、機器ハウジング（１）が、固定手段及び装置ハウジング（３０）を介してアースされていることを特徴とする請求高８又は９に記載の高電圧装置。
【請求項１１】
請求項８〜１０のいずれか１つに記載の高電圧装置（Ｈ）に、請求項１〜７のいずれか１つに記載の電気機器（Ａ）を組み込むための方法において、
電気機器（Ａ）の固定手段が、高電圧装置（Ｈ）の固定手段に固定され、その後、電気機器（Ａ）の作動部分（６）が、調整ナット（２１）を緩めることにより圧縮バネ（１８）の予緊張力を低減することによって、プラグコンタクト（８）と相手プラグコンタクト（３２）との電気的なプラグ接続部を構成し、そして絶縁コーン（１４）と相手絶縁コーン（３３）との隙間のない圧着を構成しつつ、装置ハウジング（３０）内へと案内されることを特徴とする方法。
【請求項１２】
圧縮バネ（１８）の予緊張力の低減をしている間又は予緊張力の低減をした後、機器ハウジング（１）の開口部（３７）内での絶縁体（１３）のマーキング部（３６）の位置が点検されることを特徴とする請求項１１に記載の方法。
【請求項１３】
プラグ接続部の構成及びコーン（１４，３３）の圧着をした後、ロックスリーブ（２３）が取り除かれることを特徴とする請求項１１又は１２に記載の方法。
【発明の詳細な説明】
【技術分野】
【０００１】
本発明は、特許請求項１の上位概念に記載の、差込み可能な電気機器、特に避雷器に関する。この電気機器は、
電気機器を高電圧装置に差し込む方向に長手方向軸が延在するシリンダ形に形成された機器ハウジングと、
高電圧装置の装置ハウジングに機器ハウジングを固定するための固定手段と、
それぞれ同軸に配設され、かつ電気回路を構成する、高電圧装置への組込み時に高電圧装置の相手プラグコンタクトと電気的なプラグ接続部を構成するプラグコンタクトと、電気接続部を介してこのプラグコンタクトと接続された非線形の抵抗要素と、この非線形の抵抗要素と接続されたアース接続部とから成る、機器ハウジング内に同軸に収容される作動部分と、
電気接続部と非線形の抵抗要素を同軸に取り囲み、高電圧装置への組込み時に高電圧装置の相手絶縁コーンに差し込まれる絶縁コーンをプラグコンタクト側に備える絶縁体と、
を有する。この場合、高電圧は、１ｋＶより大きく、典型的な方式では７２ｋＶまでの定格電圧であると理解すべきである。
【０００２】
高電圧装置内へと機器を組み込む場合、作動部分は、高電圧装置のブッシュ内へと差し込まれ、機器ハウジングは、固定手段でもって装置ハウジングに固定される。差し込む際は、機器の回路が、高電圧装置の導体と導電的に接続され、同時に、絶縁コーンと装置の相手絶縁コーンとが隙間なく互いに圧着される。このようにして、絶縁値の高い絶縁を有する高負荷可能なプラグ接続部が得られる。電気機器は、一般に、避雷器であり、その場合には、おおよそバリスタ及び／又は火花間隙の基礎に立脚した、電圧に依存した非線形の抵抗要素を備える。しかしながらまた、この電気機器は、アーススイッチとして形成することもでき、その場合には、非線形の抵抗要素として開閉ポイントを備える。
【０００３】
本発明は、また、このような電気機器を有する高電圧装置及びこのような装置を製造することができる方法にも関する。
【背景技術】
【０００４】
この上位概念と共に、本発明は、欧州特許出願公開第１  ０８３  ５７９号明細書に記載されているような電気機器の従来技術を引き合いに出している。この特許公開に記載された差込み可能な避雷器は、十分にシリンダ形に形成された作動部分を有する、フランジ形に形成された、軸に沿って整向されたジャケットハウジングを包含する。作動部分は、１つのバリスタ及び２つの電流接続部を有する軸方向に案内された回路を備える。回路は、絶縁体によって電気的に絶縁されて金属ハウジング内に固定されている。回路の両方の電流接続部は、ハウジング外に案内されている。両方の電流接続部の一方は、高電圧に、また他方は、アース電位に案内可能である。この避雷器は、差し込むことによって高電圧装置内へと組み込むことができる。この場合、プラグコンタクト及び装置の相手プラグコンタクトは、差し込んで一体化され、このようにして、回路と、高電圧の作用を受ける装置の導体との間の導電接続部が形成される。その他、ハウジングに圧縮バネを介して支持され、かつフランジとして形成された固定手段は、装置ハウジングにネジ止めされる。ネジを締める際に予緊張される圧縮バネを介して、誘導体は、限定された力で、またバネ作用の方式で装置に保持される。
【発明の開示】
【発明が解決しようとする課題】
【０００５】
本発明の課題は、特に簡単な方法で高電圧装置に組込み可能である冒頭で述べた様式の電気機器を提供することである。
【課題を解決するための手段】
【０００６】
この課題は、特許請求の範囲に限定されている発明によって解決される。
【０００７】
本発明による電気機器は、機器ハウジングの上端部に固定手段がフランジとして形成され、下端部に底面が取り付けられており、この底面が、中心に開口部を備え、底面の内側に支承スリーブが同軸に形成されていること、アース接続部に、絶縁体の下端部を閉鎖するアース可能なコンタクトディスクが固定され、このコンタクトディスクからアース接続部が突出し、支承スリーブ内に軸方向に移動可能に支承され、これにより、作動部分が、絶縁体と共に機器ハウジング内で軸方向に移動可能であり、アース接続部が、底面の開口部を経て機器ハウジング外に案内されていること、コンタクトディスクと機器ハウジングの底面との間に、圧縮バネが配設され、この圧縮バネが、支承スリーブの外周面上に案内されていること、機器ハウジング外に案内されたアース接続部の端部に、ネジが形成されており、このネジに、ロックスリーブを挿入した後、調整ナットがねじ込まれ、これにより、圧縮バネが予緊張され、機器ハウジングと作動部分がネジ止めされ、作動部分が、機器ハウジングに対して予緊張力をもって保持されていること、圧縮バネが、調整ナットを緩めた後に、所定の力で隙間なく絶縁コーンが高電圧装置の相手絶縁コーンに当接するようなバネ力を備えることを特徴とする。このようにして、機器ハウジングは、実際に、力を費やすことなく高電圧装置に固定することができる。本発明による機器の回路と、高電圧を作用可能な装置の導体との間の導電接続部は、簡単な手段でもって予緊張を縮小することによって得ることができる。この場合、機器の作動部分は、プラグコンタクトが装置の相手プラグコンタクトとプラグ接続部を構成し、作動部分の絶縁コーンが、所定の力で隙間なく装置の相手絶縁コーンに当接するまで軸方向に移動させられる。支持力は、部分放電に通じる絶縁コーンの制限面における間隙が回避されるように、非常に正確に寸法設定され、かつこれに応じて測定されることになる。支持力は、容易に一定に保持することができ、加えて機器ハウジングの内部で作用するので、一定の圧力が保証されており、かつ加えて、圧力が、外から、但しほとんどが機械的な力により機器ハウジングに負荷が加えられることによるが、変更されることは、確実に回避される。
【０００８】
絶縁体の表面と機器ハウジングとの間の部分放電を有効に低減するために、絶縁体の表面が、絶縁コーンのコーン面を除いて、コンタクトディスクを介してアース電位と接続するための導電性の層で被覆されていることが機能的である。装置の運転中に高い電界強度に晒された絶縁コーンは、この層によって自由に維持されている。絶縁コーンのプラグコンタクトとは反対側の端部は、有利に、内方へと案内された丸み付けされたアンダカット部として形成されている。この構成によって、装置の運転の際に絶縁的に高い負荷を受ける絶縁コーンの端部の強い負荷の軽減が得られる。
【０００９】
機器もしくは装置の絶縁特性は、機器回路内に設けられた非線形の抵抗要素が、プラグコンタクト側を、また同様に機器回路内に設けられた、プラグコンタクトに対するこの抵抗要素の導電接続部が、丸み付けされて形成されている場合に有効に作用する。絶縁耐力の更なる改善は、絶縁体が、少なくとも、高い電界強度に晒されたプラグコンタクト側の領域内を丸み付けされて形成されている場合に得られる。
【００１０】
装置内での電気機器の組立てを容易にするために、機器ハウジングの外周面に、非線形の抵抗要素のプラグコンタクト側の端部を包囲する絶縁体の領域に取り付けられたマーキング部に相対して位置決めされた開口部を形成することが望ましい。この開口部を経て、組立ての間の絶縁体のマーキング部の位置を観察することができる。この情報を基にして、組立工は、機器の作動部分が既に十分なまでに移動されたかどうかを、容易に確認することができる。同時に、この開口部は、作動部分において妨害アーク及び部分放電が生じた際の機器の圧力負荷の軽減をするために役立つ。望まれないこのような放電工程が、高い電界強度の領域内で特に有効であるので、開口部を、非線形の抵抗要素のプラグコンタクト側の端部を包囲する絶縁体の領域に相対して位置決めすることが望ましい。少なくとも２つの開口部とこれに対応するマーキング部が、機器ハウジングの外周面及び絶縁体の周囲にわたって分配されて配設されていることは機能的である。何故なら、このようにすれば、マーキング部は、一方向からだけではなく、角度をずらすことによって設けられた角度領域を介して観察することができるからである。
【００１１】
必要な予緊張力は、作動部分のアース可能な端部に固定され、かつ機器ハウジングの底面を経て案内されたアース接続部を有する機器の場合は、特に、作動部分のアース可能な端部と機器ハウジングの底面との間に配設されている、予緊張された圧縮バネによって得られる。予緊張を簡単かつ正確に変更できるようにするため、機器ハウジング外に案内されたアース接続部の端部に、調整ナットを収容するためのネジが形成されている。このネジに、有利に、調整ナットと機器ハウジングの底面との間に設けることができるロックスリーブを支承するために使用される、機器ハウジング外に案内されたネジのない部分が接続する。このスリーブが機器を組み立てた後に取り除かれる場合には、調整ナットを操作する場合に、いかなる力も、もはや機器の作動部分に伝達されることはなく、従って、無許可の者による機器の不適切な解体又は整備は排除されている。調整ナットは、ロックナットとして形成されている場合は、アース接続部をアース導体と接続するために使用することができる。
【００１２】
本発明による機器の容易に実現すべき強靭な実施形にあっては、機器ハウジングの底面に、圧縮バネを案内するために使用される外周面を有する、軸方向に整向されかつアース接続部を包囲するスリーブが形成されている。
【００１３】
機器ハウジング及び装置ハウジングの固定手段の異なった寸法を相殺するために、機器を組み立てる際に、電気機器の固定手段のフランジと、装置ハウジングの相手フランジとの間に設けられており、一方のフランジの寸法を他方のフランジの寸法に縮小するアダプタフランジを使用することが望ましい。
【００１４】
機器ハウジング及び装置ハウジングが、導電性の材料から成ることが有利である。その際、機器を組み立てた後、機器ハウジングは、付加的な接続部を用いることなく、フランジ及び装置ハウジングを介してアースされており、接触の防止が保証されている。
【発明を実施するための最良の形態】
【００１５】
本発明の優れた実施例とこれにより達成可能な更なる利点とを、以下に、図面を基にして詳細に説明する。
【００１６】
全ての図において、同じ符号は、また同じ作用をする部分に付されている。図１に図示された避雷器Ａは、接触防止カバーとして、また外からの影響に対抗する保護カバーとして、主にシリンダ形の導電性の機器ハウジング１を備え、この機器ハウジングは、特にほとんどがアルミニウムのような金属、導電性のポリマ材料、例えば導電性カーボンブラックで充填されたポリエチレン、又は導電性のジャケットを備えているほとんどがポリエチレンのようなポリマ材料から成る。ハウジング１は、ジャケットチューブ２を包含する。チューブの下端部には、底面３が取り付けられており、一方、上端部には、固定手段が形成されており、この固定手段は、半径方向に外方へと延長されたフランジ５として形成されている。機器ハウジング１内には、作動部分６が配設されている。機器ハウジングの内径は、作動部分に相対して過大寸法を備える。従って、作動部分は、ハウジング１のシリンダ軸７に沿って移動することができる。作動部分は、プラグコンタクト８、アース接続部９、及び非線形の抵抗要素１０を有する、軸方向に案内された回路を包含する。高電圧の電位へと案内可能な抵抗要素１０の端部は、導体ボルト１１を介してプラグコンタクト８と接続されている。要素１０の他方の端部は、ボルト形に形成されたアース接続部９と接続されている。非線形の抵抗要素１０は、欧州特許出願公開第１  ０８３  ５７９号明細書に記載の従来技術に記載されているように形成することができ、その際、特にＺｎＯのようなおおよそ金属酸化物の基盤の上に立脚した非線形の抵抗材料から成る１つ又は複数のシリンダ形のバリスタ要素を備える。プラグコンタクト８は、場の制御をするディスク１２上に固定されており、このディスクは、図２及び３に図示された高電圧装置Ｈ、例えば金属カプセルに内封され、ガスに対して絶縁された例えば４２ｋＶの定格電圧のための開閉装置に避雷器Ａを差し込む際に、装置Ｈの相手ストッパに対するストッパとして使用される。
【００１７】
非線形の抵抗要素１０及び導体ボルト１１は、特にシリコンのような弾性的な絶縁物質から成るシリンダ形の絶縁体１３によって取り囲まれている。絶縁体１３は、その上端部において、回路の導体ボルト１１の上方部分を同軸に取り囲む絶縁コーン１４に終わる。絶縁コーン１４のプラグコンタクト８とは反対側の端部は、内方へと案内された丸み付けされたアンダカット部１５に終わる。絶縁体１３の表面は、絶縁コーン１４のコーン面を除いて、ほとんどが導電性のポリマ又は金属から成る電位を制御する導電性の層１６で被覆されている。作動部分６をアース接続部９において下方へと閉鎖するコンタクトディスク１７を介して、導電性の層１６は、アース電位と接続されている。
【００１８】
コンタクトディスク１７と機器ハウジング１の底面３との間には、予緊張された圧縮バネ１８が配設されている。このバネは、機器ハウジング１の底面３に形成された軸方向に整向された支承スリーブ１９の外周面上に案内されている。スリーブ１９内には、アース接続部９が軸方向に移動可能に支承されている。機器ハウジング１外に案内されたアース接続部９の端部には、ネジ２０が形成されており、このネジに、ロックナットとして形成された調整ナット２１が締め付けられている。ネジ２０には、調整ナット２１と機器ハウジング１の底面３との間に設けられたロックスリーブ２３を支承するための同様に機器ハウジング１外に案内されたネジのない部分２２が接続する。
【００１９】
図２からは、避雷器Ａを高電圧装置Ｈ内へと組み込む際（方法段階ａ））には、先ず符号の付されてない矢印の方向に垂直に上方へと案内されることが分かる。この場合、作動部分６の上端部は、高電圧装置Ｈのアースされた導電性のハウジング３０の符号の付されてない開口部を経て、遮蔽されたチューリップ形の相手プラグコンタクト３２及び相手絶縁コーン３３を有する接続ブッシュ３１内へと押し込まれる。
【００２０】
フランジ５が、装置ハウジング３０の適切な相手フランジに当接すると（方法段階ｂ））直ぐ、両方のフランジは、符号の付されてないネジによって互いに結合され、このようにして、機器ハウジング１は、堅く装置ハウジング３０に固定される。フランジ５と装置Ｈの相手フランジとが異なった寸法を備える場合は、−図２に図示されているように−両方のフランジの間にアダプタフランジ３４を設けることができる。
【００２１】
次いで、予緊張された圧縮バネ１８は、調整ナット２１によって緊張除去される。この場合、調整ナットは、その上の面でもって、座金を介して下方へと指向するロックスリーブ２３上で支持される。作動部分は、調整ナットを回転させた場合、緊張除去されたバネ１８の作用の下に接続ブッシュ３１内へと、ディスク１２が相手プラグコンタクト３２に当接する（方法段階ｃ））まで差し込まれる。プラグコンタクト８及び相手プラグコンタクト３２は、プラグ接続部を構成し、避雷器の回路を高電圧を作用可能な装置Ｈの導体３５と接続する。圧縮バネ１８は、いかなる空間もその間に残留しないようにコーン１４，３３を強く互いに圧着させるために、残留するバネ力が未だ十分であるまでにだけ緊張除去される。その際、高電圧装置Ｈ内へと組み込まれた避雷器Ａの十分に高い絶縁耐力が保証されている。バネ１８が永続的に同じ力でもって作用し、加えて機器ハウジング１の内部に配設されているので、一定の圧力が保証されており、加えて確実に、圧力が、外から、但しほとんどが機械的な力により機器ハウジング１に負荷が加えられることによるが、変更されることが回避される。
【００２２】
絶縁耐力を改善するために、導電性の層１６も寄与し、この層によって、絶縁体１３の表面と機器ハウジング１との間の部分放電並びに絶縁体１３の不均質性が回避される。内方へと案内されかつ丸み付けされたアンダカット部１５としてプラグコンタクト８とは反対側の絶縁コーン１４の端部を形成することによって、またこのアンダカット部１５の表面に導電性の層１６の部分を設けることによって、機器ハウジングもしくは装置ハウジング、絶縁コーン１４もしくは相手絶縁コーン３３及び空気の絶縁臨界三重領域内の電場が均質化されている。避雷器Ａもしくは高電圧装置Ｈの電気特性を改善するための更なる構成は、非線形の抵抗要素１０及び／又は絶縁体１３が、少なくともプラグコンタクト側を丸み付けされて形成されている点にもある。
【００２３】
図３から分かるように、避雷器を組み立てている間、接続ブッシュ内での作動部分６の位置は、作動部分もしくは層１６に取り付けられたマーキング部３６によって点検することができる。この目的のため、機器ハウジング１の外周面に、主に軸方向に案内された幅の狭い開口部３７が形成されている。段階ａ）及びｂ）の間は、開口部３７内でのマーキング部３６の位置が変化しない。何故なら、作動部分は、機器ハウジング１に相対して、圧縮バネが予緊張されている場合は移動されないからである。段階ｃ）で初めて、バネを緊張除去した場合、マーク３６は、機器ハウジング１に相対して上方へと移動し、接続ブッシュ内へと作動部分を完全に差し込んだ後、段階ｃ）から分かる位置を占める。
【００２４】
開口部３７は、非線形の抵抗要素１０のプラグコンタクト側の端部を包囲する絶縁体１３の領域に相対して位置決めされている。これは、開口部３７が同時に作動部分６において妨害アーク及び部分放電が発生した際の避雷器Ａの圧力軽減をするために役立つ。望まれないこのような放電工程が、高い電界強度の領域内で特に有効であるので、開口部は、非線形の抵抗要素１０のプラグコンタクト側の端部に位置決めされている。
【００２５】
互いに周方向に角度をずらして配設されている２つの開口部が設けられていることが機能的である。このようにして、マーキング部３６の位置が、一方向からだけではなく、異なった角度から観察することができるということが保証される。適当に全周囲にわたって分配された２つよりも多くの開口部を設けることによって、実際に、任意のそれぞれの方向から観察することができる。
【００２６】
避雷器Ａを組み込んだ後、調整ナット２１は、ネジ２０から抜き取られ、ロックスリーブ２３が取り除かれ、無許可のアクセスが生じないように保護されるように保管される。調整ナット２１は、再びネジ２０に締め付けられる。この調整ナットがロックナットとして形成されているので、この調整ナットは、同時にアース導体３８（図２）を固定するために役立つ。避雷器の回路は、一方では高電圧装置Ｈ内に案内された高電圧に、他方ではアースに接続されている。機器ハウジング１は、アダプタフランジ３４及び装置ハウジング３０を介してアースされている。高電圧装置Ｈ内へと避雷器Ａを組み込んだ後の作動部分６の無許可の移動は、ロックスリーブが引き抜かれた場合に、調整ナット２１がネジのない部分に至るまで回転させることができるに過ぎず、従って、ロックスリーブ２３なしでは、作動部分のいかなる移動も行なうことができないことによって回避されている。
【図面の簡単な説明】
【００２７】
【図１】本発明による差込み可能な電気機器の避雷器として形成された実施形を経る軸に沿って案内された断面に対する平面図を示す。
【図２】時間的に連続する３つの段階ａ），ｂ）及びｃ）の間の、高電圧装置内へと組み込む際の断面にされて図示された図１による避雷器を示す。
【図３】図２による組立ての際の時間的に連続する段階ａ），ｂ）及びｃ）の間の、図１による（断面にされて図示されてない）避雷器の側面図を示す。
【符号の説明】
【００２８】
１      機器ハウジング
２      ジャケットチューブ
３      底面
５      フランジ
６      作動部分
７      シリンダ軸
８      プラグコンタクト
９      バリスタ要素
１０      非線形の抵抗要素
１１      導体ボルト
１２      ディスク
１３      絶縁体
１４      絶縁コーン
１５      アンダカット部
１６      導電性の層
１７      コンタクトディスク
１８      圧縮バネ
１９      支承スリーブ
２０      ネジ
２１      調整ナット
２２      ネジのない部分
２３      ロックスリーブ
３０      装置ハウジング
３１      接続ブッシュ
３２      相手プラグコンタクト
３３      相手絶縁コーン
３４      アダプタフランジ
３５      導体
３６      マーキング部
３７      開口部
３８      アース導体
Ａ        避雷器
Ｈ        高電圧装置
【図１】
0004567305.tif 000002
【図２】
0004567305.tif 000003
【図３】
0004567305.tif 000004